(57)【要約】【課題】  球面収差補正用能動素子の採用時、この能動素子の通電経路を確保すると共にワイヤーの硬度を最適化した光ピックアップ用アクチュエータと光ピックアップ装置及びそれを採用した光記録再生装置を提供する。【解決手段】  ベースと、このベース上に備えられたホルダーと、入射光をディスクに集束させる対物レンズ及び球面収差補正用液晶パネルが搭載された可動部と、可動部をディスクの半径方向及びフォーカス方向に駆動させる磁気駆動部と、磁気駆動部を駆動するための信号の通電経路として利用されるものであって、少なくとも４つ以上のワイヤーよりなった第１連結部と、第１連結部とは電気的に独立設置されて液晶パネルを駆動するための信号の通電経路として利用されるものであって複数のワイヤーよりなった第２連結部とを具備し、ホルダーに対して可動部を動き自在に支持する連結部材とを含むことを特徴とする光ピックアップ用アクチュエータ。【選択図】      図３
2004152472.tif 000002
【特許請求の範囲】
【請求項１】
ベースと、
前記ベース上に備えられたホルダーと、
入射光をディスクに集束させる対物レンズと、球面収差補正用液晶パネルが搭載された可動部と、
前記可動部を前記ディスク半径方向及びフォーカス方向に駆動させる磁気駆動部と、
前記磁気駆動部を駆動するための信号の通電経路として利用されるものであって、少なくとも４つ以上のワイヤーよりなった第１連結部と、前記第１連結部とは電気的に独立設置されて前記液晶パネルを駆動するための信号の通電経路として利用されるものであって、複数のワイヤーよりなった第２連結部とを具備し、前記ホルダーに対して前記可動部を動き自在に支持する連結部材とを含むことを特徴とする光ピックアップ用アクチュエータ。
【請求項２】
前記第２連結部は、
少なくとも４つ以上のワイヤーを含み、前記４つ以上のワイヤーのうち少なくとも３つのワイヤーのそれぞれを通じて前記液晶パネルの駆動に必要な電気信号が伝達されることを特徴とする請求項１に記載の光ピックアップ用アクチュエータ。
【請求項３】
可動部のチルト制御のためのチルトコイルをさらに含み、前記液晶パネルの駆動に必要な電気信号が伝達されるワイヤー以外のワイヤーのうち少なくとも何れか１つのワイヤーを通じて前記チルト駆動用電気信号が伝達されることを特徴とする請求項２に記載の光ピックアップ用アクチュエータ。
【請求項４】
前記第１及び第２連結部をなす複数のワイヤーのそれぞれは、
有効長さが７ないし１３mmであり、直径が０.１０±０.０３mmであることを特徴とする請求項１ないし請求項３のうち何れか一項に記載の光ピックアップ用アクチュエータ。
【請求項５】
前記複数のワイヤーのそれぞれは、
有効長さが約９.６mmであることを特徴とする請求項４に記載の光ピックアップ用アクチュエータ。
【請求項６】
前記ワイヤーが結合される前記ホルダーと前記可動部の所定位置には前記ワイヤーの組込み位置をガイドするガイドホールが形成され、
紫外線の照射によって硬化される硬化剤を通じて前記ガイドホールに前記ワイヤーを結合することを特徴とする請求項１ないし請求項５のうち何れか一項に記載の光ピックアップ用アクチュエータ。
【請求項７】
レーザー光を照射する光源と、これを集束する対物レンズと、ディスクで反射された光を受光して情報信号及び誤差信号を検出する光検出器と、光路上に配置された球面収差補正用液晶パネルを具備し、前記ディスクに対して情報の記録／再生を遂行する光学ユニットと、
前記光検出器で検出された誤差信号から前記対物レンズをフォーカス方向及びとラック方向に制御するアクチュエータとを含む光ピックアップ装置において、
前記アクチュエータは、
前記ディスクの半径方向に移動可能に設置されたベースと、
前記ベース状に備えられたホルダーと、
前記対物レンズ及び液晶パネルが搭載された可動部と、
前記可動部を前記ディスク半径方向及びフォーカス方向に駆動させる磁気駆動部と、
前記磁気駆動部を駆動するための信号の通電経路として利用されるものであって、少なくとも４つ以上のワイヤーよりなった第１連結部と、前記第１連結部とは電気的に独立設置されて前記液晶パネルを駆動するための信号の通電経路として利用されるものであって、複数のワイヤーよりなった第２連結部とを具備し、前記ホルダーに対して前記可動部を動き自在に支持する連結部材を含むことを特徴とする光ピックアップ装置。
【請求項８】
前記第２連結部は、
少なくとも４つ以上のワイヤーを含み、前記４つ以上のワイヤーのうち少なくとも３つのワイヤーのそれぞれを通じて前記液晶パネルの駆動に必要な電気信号が伝達されることを特徴とする請求項７に記載の光ピックアップ装置。
【請求項９】
可動部のチルト制御のためのチルトコイルをさらに含み、前記液晶パネルの駆動に必要な電気信号が伝達されるワイヤー以外のワイヤーのうち少なくとも何れか１つのワイヤーを通じて前記チルトコイルの駆動用電気信号が伝達されることを特徴とする請求項８に記載の光ピックアップ装置。
【請求項１０】
前記第１及び第２連結部をなす複数のワイヤーのそれぞれは、
有効長さが７ないし１３mmであり、直径が０.１０±０.０３mmであることを特徴とする請求項７ないし請求項９のうち何れか一項に記載の光ピックアップ装置。
【請求項１１】
前記複数のワイヤーのそれぞれは、
有効長さが約９.６mmであることを特徴とする請求項１０に記載の光ピックアップ装置。
【請求項１２】
前記ワイヤーが結合される前記ホルダーと前記可動部との所定位置には前記ワイヤーの組込み位置をガイドするガイドホールが形成され、
紫外線の照射によって硬化される硬化剤を通じて前記ガイドホールに前記ワイヤーを結合することを特徴とする請求項７ないし請求項１１のうち何れか一項に記載の光ピックアップ装置。
【請求項１３】
ディスクが載置され、この載置されたディスクを回転駆動させる駆動源と、
レーザー光を照射する光源と、これを集束する対物レンズと、ディスクで反射された光を受光して情報信号及び誤差信号を検出する光検出器と、光路上に配置された球面収差補正用液晶パネルとを具備し、前記ディスクに対して情報の記録／再生を遂行する光学ユニットと、
前記光検出器で検出された誤差信号より前記対物レンズをフォーカス方向及びとラック方向に制御するアクチュエータとを含む光記録再生装置において、
前記アクチュエータは、
前記ディスクの半径方向に移動可能に設置されたベースと、
前記ベース上に備えられたホルダーと、
前記対物レンズ及び液晶パネルが搭載された可動部と、
前記可動部を前記ディスク半径方向及びフォーカス方向に駆動させる磁気駆動部と、
前記磁気駆動部を駆動するための信号の通電経路として利用されるものであって、少なくとも４つ以上のワイヤーよりなった第１連結部と、前記第１連結部とは電気的に独立設置されて前記液晶パネルを駆動するための信号の通電経路として利用されるものであって、複数のワイヤーよりなった第２連結部とをさらに具備し、前記ホルダーに対して前記可動部を動き自在に支持する連結部材とを含むことを特徴とする光記録再生装置。
【請求項１４】
前記第２連結部は、
少なくとも４つ以上のワイヤーを含み、前記４つ以上のワイヤーのうち少なくとも３つのワイヤーのそれぞれを通じて前記液晶パネルの駆動に必要な電気信号が伝達されることを特徴とする請求項１３に記載の光記録再生装置。
【請求項１５】
可動部のチルト制御のためのチルトコイルをさらに含み、前記液晶パネルの駆動に必要な電気信号が伝達されるワイヤー以外のワイヤーのうち少なくとも何れか１つのワイヤーを通じて前記チルトコイル駆動用電気信号が伝達されることを特徴とする請求項１４に記載の光記録再生装置。
【請求項１６】
前記第１及び第２連結部をなす複数のワイヤーのそれぞれは、
有効長さが７ないし１３mmであり、直径が０.１０±０.０３mmであることを特徴とする請求項１３ないし請求項１５のうち何れか一項に記載の光記録再生装置。
【請求項１７】
前記複数のワイヤーのそれぞれは、
有効長さが約９.６mmであることを特徴とする請求項１６に記載の光記録再生装置。
【請求項１８】
前記ワイヤーが結合される前記ホルダーと前記可動部の所定位置には前記ワイヤーの組込み位置をガイドするガイドホールが形成され、
紫外線照射によって硬化される硬化剤を通じて前記ガイドホールに前記ワイヤーを結合することを特徴とする請求項１３ないし請求項１７のうち何れか一項に記載の光記録再生装置。
【発明の詳細な説明】
【技術分野】
【０００１】
本発明は、光ピックアップの対物レンズをフォーカシング及びトラッキング制御する光ピックアップ用アクチュエータと光ピックアップ装置及びそれを採用した光記録再生装置に係り、詳細には、球面収差補正用能動素子の採用時、この能動素子の通電経路を確保すると共にワイヤーの硬度を最適化した光ピックアップ用アクチュエータと光ピックアップ装置及びそれを採用した光記録再生装置に関する。
【背景技術】
【０００２】
一般的に光ピックアップ装置はＣＤプレーヤー、ＣＤ−ＲＯＭドライブ、ＤＶＤ−ＲＯＭドライブなどの光記録再生装置に採用されて記録媒体である光ディスクの半径方向に移動しながら非接触式に光ディスクに情報を記録及び／または再生する。
【０００３】
この光ピックアップ装置は光源で出射された光を集束してディスクに光スポットを形成する対物レンズを具備する。
【０００４】
前記対物レンズはアクチュエータに搭載されてディスクに光スポットを形成するようにディスクのトラック方向及びフォーカス方向に動く。すなわち、アクチュエータは可動コイルに印加された電流と永久磁石によって形成された電磁気力とによって対物レンズを所望の位置に正確に移動できるようになっている。
【０００５】
一方、ＨＤ−ＤＶＤなどの高密度記録再生装置では短波長レーザー光源及び高開口数対物レンズを使用して高密度を達成するだけでなく２層ディスクを使用することによってディスクの大容量が具現できる。ところが、このように２層ディスクの記録再生を可能にするためには各層のカバーの厚さ差によって発生する球面収差の補償が必要となる。
【０００６】
このような球面収差補償技術としては、ビーム拡張器を使用する方式と、対物レンズと一体に動くアクチュエータ可動部に液晶パネルを設置する方式とに区分できる。ここで、ビーム拡張器を使用する方式は光ピックアップのサイズが大きくなるなどの問題点があって実質的に適用し難い。
【０００７】
したがって、液晶パネル設置方式が主に利用される。一方、このように液晶パネル設置方式を利用する場合においては液晶パネルが能動素子であるので、その通電経路の確保が問題となる。
【０００８】
このような問題点を勘案した従来の液晶パネルを有する光ピックアップ用アクチュエータに４つのワイヤーを通じて通電される電気信号から復調器を通じて液晶パネル駆動信号が得られる構造が開示されている。
【０００９】
図１を参照すれば、従来の球面収差補正用液晶パネルを有する光ピックアップ用アクチュエータはベース１１と、このベース１１に固定されたホルダー１３と、対物レンズ１５及び液晶パネル１７が装着される可動部２０と、可動部２０に装着された復調器１９と、可動部２０を動き自在に支持すると共に電源を供給する４つのワイヤー２３と、可動部２０をトラック方向及びフォーカス方向に駆動する磁気駆動部３０とを含む。
【００１０】
ワイヤー２３は可動部２０がベース１１から離隔されたままで磁気駆動によってＸ軸方向及びＺ軸方向に動き自在に支持する。磁気駆動部３０は可動部２０に設置されてそれぞれＸ軸方向及びＺ軸方向に駆動するフォーカスコイル３１及びトラックコイル３３と、このコイル３１、３３と対向するようにベース１１に設置されたマグネット３５とを含む。
【００１１】
４つのワイヤー２３は通電経路として利用されるものであって、このワイヤー２３を通じてフォーカスコイル３１及びトラックコイル３３の駆動に必要な電源と、液晶パネル１７駆動に必要な電源とを供給する。
【００１２】
したがって、図２に示されたように、４つのワイヤー２３のうち少なくとも２つのワイヤー２３ａ、２３ｄにはフォーカスコイル３１及びトラックコイル３３駆動電流と液晶パネル１７駆動電流が共に印加され、復調器１９を通じて印加された駆動電流から液晶パネル１７駆動電流を分離する。
【００１３】
すなわち、既存のフォーカスコイル駆動電流とトラックコイル駆動電流とが印加される時、１ＭＨｚ周波数の２つの駆動信号を共に含めて印加させ、この信号を前記復調器２５で信号フィルタリングを通じて１ＭＨｚ周波数でのキャリア信号を除去することによって液晶パネル１７を駆動するための２つのそれぞれ異なる信号が生成される。この信号の振幅を変更するかトーンバースト波形の振幅を変更することによって球面収差を補正する。
【００１４】
このように構成されたアクチュエータは４つのワイヤーを有する通常のアクチュエータが活用できる利点がある。ところが、前記復調器をさらに具備することによって組込み工程数及びコストが増加する問題点がある。
【００１５】
また復調器に入出される信号とフォーカス及びトラックコイル３１、３３駆動信号が同一ワイヤーを通じて連結されるので、両信号間にクロストークが発生し、これによって両信号間に相互影響を与える素地がある問題点がある。
【発明の開示】
【発明が解決しようとする課題】
【００１６】
本発明は、前記したような問題点を勘案して案出されたものであって、球面収差補正用液晶パネルの通電経路を駆動コイルの通電経路と独立的に確保すると共にワイヤーの硬度を最適化した光ピックアップ用アクチュエータ及びそれを採用した光記録再生装置を提供するのに目的がある。
【課題を解決するための手段】
【００１７】
前記した目的を達成するための本発明による光ピックアップ用アクチュエータはベースと、前記ベース上に備えられたホルダーと、入射光をディスクに集束させる対物レンズと、球面収差補正用液晶パネルが搭載された可動部と、前記可動部を前記ディスク半径方向及びフォーカス方向に駆動させる磁気駆動部と、前記磁気駆動部を駆動するための信号の通電経路として利用されるものであって少なくとも４つ以上のワイヤーよりなった第１連結部と、前記第１連結部とは電気的に独立設置されて前記液晶パネルを駆動するための信号の通電経路として利用されるものであって複数のワイヤーよりなった第２連結部を具備し、前記ホルダーに対して前記可動部を動き自在に支持する連結部材とを含むことを特徴とする。
【００１８】
また、前記した目的を達成するための本発明はレーザー光を照射する光源と、これを集束する対物レンズと、ディスクで反射された光を受光して情報信号及び誤差信号を検出する光検出器と、光路上に配置された球面収差補正用液晶パネルを具備し、前記ディスクに対して情報の記録／再生を遂行する光学ユニットと、前記光検出器で検出された誤差信号から前記対物レンズをフォーカス方向及びトラック方向に制御するアクチュエータとを含む光ピックアップ装置において、前記アクチュエータは前記ディスクの半径方向に移動可能に設置されたベースと、前記ベース上に備えられたホルダーと、前記対物レンズ及び液晶パネルが搭載された可動部と、前記可動部を前記ディスク半径方向及びフォーカス方向に駆動させる磁気駆動部と、前記磁気駆動部を駆動するための信号の通電経路として利用されるものであって少なくとも４つ以上のワイヤーよりなった第１連結部と、前記第１連結部とは電気的に独立設置されて前記液晶パネルを駆動するための信号の通電経路として利用されるものであって複数のワイヤーよりなった第２連結部とを具備し、前記ホルダーに対して前記可動部を動き自在に支持する連結部材とを含むことを特徴とする。
【００１９】
また、前記した目的を達成するために本発明はディスクが載置され、この載置されたディスクを回転駆動させる駆動源と、レーザー光を照射する光源と、これを集束する対物レンズと、ディスクで反射された光を受光して情報信号及び誤差信号を検出する光検出器と、光路上に配置された球面収差補正用液晶パネルとを具備し、前記ディスクに対して情報の記録／再生を遂行する光学ユニットと、前記光検出器で検出された誤差信号から前記対物レンズをフォーカス方向及びトラック方向に制御するアクチュエータとを含む光記録再生装置において、前記アクチュエータは、前記ディスクの半径方向に移動可能に設置されたベースと、前記ベース上に備えられたホルダーと、前記対物レンズ及び液晶パネルが搭載された可動部と、前記可動部を前記ディスク半径方向及びフォーカス方向に駆動させる磁気駆動部と、前記磁気駆動部を駆動するための信号の通電経路として利用されるものであって少なくとも４つ以上のワイヤーよりなった第１連結部と、前記第１連結部とは電気的に独立設置されて前記液晶パネルを駆動するための信号の通電経路として利用されるものであって複数のワイヤーよりなった第２連結部とを具備し、前記ホルダーに対して前記可動部を動き自在に支持する連結部材とを含むことを特徴とする。
【発明の効果】
【００２０】
本発明の光ピックアップ用アクチュエータと光ピックアップ装置及びそれを採用した光記録再生装置は球面収差補正用液晶パネルの通電経路を駆動コイルの通電経路と独立的に確保することによって、復調器などのチップ部品が不要なので、液晶パネルから出てきた導線が直接連結部を通じて外部回路と連結されられ、駆動コイルに印加される電流と液晶板に印加される電流とが相互区分されて２つの印加信号間に相互クロストーク発生の余地がない。
【００２１】
また、８つ以上の複数の連結部を具備する場合、問題になるＤＣ感度、アクチュエータのローリング発生可能性を数式１の条件を利用して連結部として利用されるワイヤーの直径及び長さを調整して硬度を決定することによって、問題になるＤＣ感度を向上させ、そして、ワイヤーが結合される部分にガイドホールを用意してワイヤーの組込み位置をガイドすることによって、ワイヤーの組合せ精密度を向上させうる。
【発明を実施するための最良の形態】
【００２２】
以下、図面を参照して本発明の望ましい実施例について詳細に説明する。
【００２３】
図３及び図４を参照すれば、本発明の実施例による光ピックアップ用アクチュエータはベース４１と、このベース４１上に備えられたホルダー４３と、Ｘ軸方向とＺ軸方向とに動き自在に設置された可動部４５と、可動部４５を磁気駆動させる磁気駆動部５０及び、ホルダー４３に対して可動部４５を動き自在に支持すると共に通電経路として利用される連結部材６０を含む。
【００２４】
可動部４５には情報記録媒体であるディスクに入射光を集束させる対物レンズ７１と、球面収差補正用液晶パネル７３とが搭載される。
【００２５】
磁気駆動部５０は可動部４５をディスクの半径方向及びフォーカス方向、すなわち、Ｘ軸方向とＺ軸方向とに駆動させる。この磁気駆動部５０は可動部４５に設置されるコイル５１と、このコイル５１と対向するようにベース４１に設置されたマグネット５３及びヨーク部材５５を含む。したがって、可動部４５はコイル５１とマグネット５３間に形成される電磁気力によって駆動される。
【００２６】
連結部材６０は可動部４５を動き自在に支持するものであって、磁気駆動部５０を駆動するための信号の通電経路として利用される第１連結部と、液晶パネル７３を駆動するための信号の通電経路として利用される第２連結部とを含む。
【００２７】
図５を参照すれば、前記した第１連結部は４つ以上のワイヤー６１、６２、６７、６８で構成される。この第１連結部をなす複数のワイヤーのうち２つのワイヤー６１、６２は可動部４５のＹ軸方向の駆動を行なうのに必要なトラックコイル５１ａの通電経路として利用され、残りの２つのワイヤー６７、６８は可動部４５のＺ軸方向の駆動を行なうのに必要なフォーカスコイル５１ｂの通電経路として利用される。
【００２８】
また、前記第２連結部は前記第１連結部とは電気的に独立設置されるものであって、少なくとも４つ以上のワイヤー６３、６４、６５、６６を含む。４つ以上のワイヤー６３、６４、６５、６６のうち少なくとも３つのワイヤー６３、６４、６５のそれぞれを通じて液晶パネル７３の駆動に必要な電気信号が伝えられる。
【００２９】
そして、残りのワイヤー６６は可動部４５がローリングされないように対称的に支持するために備えられるものであって、通電経路としては利用されない。
【００３０】
例として、４つのワイヤーを図５に示し、これに基づいて説明したが、これは例示的なものに過ぎず、４つ以上のワイヤーで構成することも可能である。
【００３１】
さらに、このワイヤー６６は可動部４５のチルト制御のためにチルトコイル（図示せず）を具備する場合にこのチルトコイルの通電経路として利用されうる。
【００３２】
図６は、図３のアクチュエータ可動部に対するワイヤーの結合を説明するために示した部分斜視図である。図を参照しながら、複数のワイヤーのうち１つのワイヤー６１の結合を例に挙げて説明する。
【００３３】
ワイヤー６１が結合されるホルダー（図３の４３）と、可動部４５の所定位置にはワイヤー６１の組込み位置をガイドするガイドホール４６が形成されている。このガイドホール４６の直径はワイヤー６１の直径より大きく形成されたものであり、このガイドホール４６にワイヤー６１を差し込んだままで、硬化剤６３を通じて固定する。硬化剤６３は粘液状態を維持したままでガイドホール４６に詰め込まれるものであって、ワイヤー６１を正しい結合位置に位置させた後、紫外線を照射することによって硬化される。
【００３４】
このようにガイドホール４６及び硬化剤６３を利用してワイヤー６１を固定することによって、通常の半田付けなどの作業でワイヤーの固定が行われる場合よりワイヤー６１の有効長さの調整が容易である。また可動部４５を均衡を合わせて配置することが容易であり、可動部４５のローリング発生可能性を下げられる。
【００３５】
一方、本発明の実施例のように連結部材６０をなすワイヤーを８つ以上に配置する場合において、従来の４つのワイヤーを利用した構成と同じワイヤーの有効長さ及び直径を維持する場合は全体的な硬度が増加される。これによって、可動部４５のトラック方向及びフォーカス方向への制御が難しくなる問題が発生する。
【００３６】
前記したワイヤーの硬度ｋを表す数値は次の式（１）の通りである。
【００３７】
【数１】
2004152472.tif 000003
ここで、ｎはワイヤーの数、Ｅはワイヤーの弾性係数値、ｄはワイヤーの直径、ｌはワイヤーの有効長さを示す。したがって、ワイヤーの数が通常の４つから８つ以上の複数に増加しようとする場合はワイヤーの直径ｄの値を下げるか、ワイヤーの長さｌを長くすることによって全体ワイヤーの硬度ｋを最適化できる。
【００３８】
このような点を勘案して前記第１及び第２連結部をなす複数のワイヤーのそれぞれは有効長さが７ないし１３ｍｍであり、直径が０.１０±０.０３ｍｍであることが望ましい。さらに望ましくは、有効長さは９.６ｍｍである。
【００３９】
図７を参照すれば、本発明の実施例による光ピックアップ装置は情報記録媒体であるディスクＤに対して情報の記録／再生を遂行する光学ユニット８０と、この光学ユニット８０をトラック方向及びフォーカス方向に制御するアクチュエータ４０を含んで構成される。
【００４０】
光学ユニット８０はレーザー光を照射する光源８１と、これを集束する対物レンズ７１と、ディスクＤで反射された光を受光して情報信号及び誤差信号を検出する光検出器８５及び、光路上に配置される球面収差補正用液晶パネル７５を含む。ここで、対物レンズ７１及び液晶パネル７５はアクチュエータ４０の可動部（図３の４５）に装着されてトラック誤差及びフォーカス誤差補正時に可動される。また、光学ユニット８０は光源８１と対物レンズ７１間の光路上に入射光の進行経路を変換して光源８１で照射された有効光を前記ディスクＤに向かわせ、前記ディスクＤで反射された有効光を光検出器８５に向かわせるビームスプリッタ８３を含む。そして、望ましくは、光源８１側から対物レンズ７１に入射される光が平行光になるように入射光を集束させるコリメーティングレンズ７６をさらに含む。
【００４１】
アクチュエータ４０は光検出器８５で検出された誤差信号から対物レンズ７１をフォーカス方向及びトラック方向に制御する。このアクチュエータ４０は先に図３ないし図６を参照して説明されたところと実質的に同一なので、その詳細なる説明は省略する。
【００４２】
図８は、本発明の望ましい実施例による互換型光ピックアップ装置を採用した光記録再生装置を示した概略的な図である。光記録再生装置は円形状の光記録媒体Ｄが載置されるターンテーブル９３と、このターンテーブル９３に載置された光記録媒体Ｄを固定するクランプ９５と、前記光記録媒体Ｄを回転させるスピンドルモーター９１と、光記録媒体Ｄの半径方向に移動可能に設置されて光記録媒体Ｄに情報の記録／再生を遂行する光ピックアップ１００と、スピンドルモーター９１と光ピックアップ１００とを駆動するための駆動部１１０及び、光ピックアップ１００のフォーカス、トラックサーボを制御するための制御部１２０を含んで構成される。
【００４３】
光ピックアップ１００は対物レンズ７１を含む光学ユニットと、対物レンズ７１をフォーカス、トラック方向に駆動するためのアクチュエータとを含む。本実施例による光記録再生装置はこの光ピックアップ装置の構造、特に、アクチュエータの構造を改善したのに特徴があるものであって、この光ピックアップ装置及びアクチュエータの構造及び動作は図３ないし図８を参照して先に説明されたところと実質的に同一なので、その詳細なる説明は省略する。
【００４４】
このように構成された光記録再生装置の動作を説明すれば、光ピックアップ１００を通じて検出されて光電変換された信号は駆動部１１０を通じて制御部１２０に入力される。駆動部１１０はスピンドルモーター９１の回転速度を制御し、光ピックアップ１００を駆動させる。制御部１２０は駆動部１１０から入力された信号に基づいて調節されたフォーカスサーボ及びトラックサーボ命令を再び駆動部１１０に送ってフォーカスサーボ及びトラッキングサーボを遂行させる。
【産業上の利用可能性】
【００４５】
本発明によるアクチュエータ、光ピックアップ装置及び光記録再生装置はコンピュータの情報記録再生装置などのＯＤＤ（Ｏｐｔｉｃａｌ  Ｄｉｓｋ  Ｄｒｉｖｅ）分野に適用できる。
【図面の簡単な説明】
【００４６】
【図１】従来の球面収差補正用液晶パネルを有する光ピックアップ用アクチュエータを示した部分切開斜視図である。
【図２】図１のアクチュエータ内部回路図である。
【図３】本発明の実施例による光ピックアップ用アクチュエータを示した斜視図である。
【図４】図３のアクチュエータ可動部の底面を示した斜視図である。
【図５】図３のアクチュエータのワイヤーを通した通電経路を説明するための図である。
【図６】図３のアクチュエータ可動部へのワイヤーの結合を説明するために示した部分斜視図である。
【図７】本発明の実施例による光ピックアップ装置を示した概略的な図である。
【図８】本発明の実施例による光ピックアップ用アクチュエータと光ピックアップ装置とを採用した光記録再生装置の概略的な図である。
【符号の説明】
【００４７】
４０    アクチュエータ
４１    ベース
４３    ホルダー
４５    可動部
４６    ガイドホール
５０    磁気駆動部
５１    コイル
５１ａ  トラックコイル
５１ｂ  フォーカスコイル
５３    マグネット
５５    ヨーク部材
６０    連結部材
６１乃至６８  ワイヤー
６３    硬化剤
７１    対物レンズ
７３、７５  球面収差補正用液晶パネル
７６    コリメーティングレンズ
８０    光学ユニット
８１    光源
８３    ビームスプリッタ
８５    光検出器
９１    スピンドルモーター
９３    ターンテーブル
９５    クランプ
１００  光ピックアップ
１１０  駆動部
１２０  制御部
【図１】
2004152472.tif 000004
【図２】
2004152472.tif 000005
【図３】
2004152472.tif 000006
【図４】
2004152472.tif 000007
【図５】
2004152472.tif 000008
【図６】
2004152472.tif 000009
【図７】
2004152472.tif 000010
【図８】
2004152472.tif 000011